(57)【特許請求の範囲】
【請求項１】
複数のリソースを構成要素として含むシステムにおける前記複数のリソースの属性に関する属性情報と、前記複数のリソース間の関連情報とを管理する複数のデータベースに接続された情報処理装置であって、
前記複数のデータベースのうち第１のデータベースで登録を受け付けたリソースが、前記システムで共通に使用する識別子が設定されていない未確定リソースである場合に、前記第１のデータベースで管理されているリソース間の関連情報のうち前記未確定リソースと或る関連性を有し、且つ前記第１データベースとは異なる第２データベースにも属性情報が管理されているリソースを関連リソースとして取得する取得部と、
前記或る関連性と同じ関連性を前記関連リソースとの間に持つリソースを、同定対象リソースとして前記第２のデータベースから検索し、該同定対象リソースと前記未確定リソースとを同定する同定部と、
を備える情報処理装置。
【請求項２】
請求項１に記載の情報処理装置において、
前記リソースは、ネットワークに接続された機器であり、前記或る関連性は前記機器がいずれの機器とネットワーク接続されているかの関係であることを特徴とする情報処理装置。
【請求項３】
請求項１または請求項２に記載の情報処理装置において、
更に、前記同定対象リソースの少なくとも１つの属性情報と、前記未確定リソースの少なくとも一つの属性情報とが合致している割合を示す合致率を算出する算出部を備えることを特徴とする情報処理装置。
【請求項４】
請求項３に記載の情報処理装置において、
更に、前記算出部にて算出された合致率が所定の閾値を越えた場合、前記同定対象リソースの属性情報と前記未確定リソースの属性情報とをマージする第１マージ部を備えることを特徴とする情報処理装置。
【請求項５】
請求項３に記載の情報処理装置において、
更に、前記算出部にて算出された合致率を表示するとともに、前記同定対象リソースの属性情報と前記未確定リソースの属性情報とをマージするか否かを選択させ、選択結果が許可である場合、前記同定対象リソースの属性情報と前記未確定リソースの属性情報とをマージする第２マージ部を備えることを特徴とする情報処理装置。
【請求項６】
複数のリソースを構成要素として含むシステムにおける前記複数のリソースの属性に関する属性情報と、前記複数のリソース間の関連情報とを管理する複数のデータベースに接続された情報処理装置において実行されるリソース同定プログラムであって、
前記複数のデータベースのうち第１のデータベースで登録を受け付けたリソースが、前記システムで共通に使用する識別子が設定されていない未確定リソースである場合に、前記第１のデータベースで管理されているリソース間の関連情報のうち前記未確定リソースと或る関連性を有し、且つ前記第１データベースとは異なる第２データベースにも属性情報が管理されているリソースを関連リソースとして取得する取得ステップと、
前記或る関連性と同じ関連性を前記関連リソースとの間に持つリソースを、同定対象リソースとして前記第２のデータベースから検索し、該同定対象リソースと前記未確定リソースとを同定する同定ステップと、
を前記情報処理装置のコンピュータに実行させるリソース同定プログラム。
【請求項７】
複数のリソースを構成要素として含むシステムにおける前記複数のリソースの属性に関する属性情報と、前記複数のリソース間の関連情報とを管理する複数のデータベースに接続された情報処理装置において実行されるリソース同定方法であって、
前記複数のデータベースのうち第１のデータベースで登録を受け付けたリソースが、前記システムで共通に使用する識別子が設定されていない未確定リソースである場合に、前記第１のデータベースで管理されているリソース間の関連情報のうち前記未確定リソースと或る関連性を有し、且つ前記第１データベースとは異なる第２データベースにも属性情報が管理されているリソースを関連リソースとして取得する取得ステップと、
前記或る関連性と同じ関連性を前記関連リソースとの間に持つリソースを、同定対象リソースとして前記第２のデータベースから検索し、該同定対象リソースと前記未確定リソースとを同定する同定ステップと、
が前記情報処理装置のコンピュータに実行されるリソース同定方法。
【発明の詳細な説明】
【技術分野】
【０００１】
本発明は、システムを構成するリソースの情報を管理するＦＣＭＤＢに関するものである。
【背景技術】
【０００２】
情報システムを構成するハードウェア及びソフトウェアに関する情報を管理する複数種類のデータベースを仮想統合することにより、システムを構成するリソースの情報を管理するデータベースとして、ＦＣＭＤＢ（ＦＣＭＤＢ：Ｆｅｄｅｒａｔｅｄ  Ｃｏｎｆｉｇｕｒａｔｉｏｎ  Ｍａｎａｇｅｍｅｎｔ  Ｄａｔａｂａｓｅ）が知られている。図７に示すように、ＦＣＭＤＢは、例えば構成情報ＤＢ、インシデント情報ＤＢ、トラブル情報ＤＢ、リリース情報ＤＢ、変更情報ＤＢ、アプリ情報ＤＢの複数のデータベースに対して、横断的に操作を行うことを可能にする仮想統合ＤＢである。これらの統合されている複数のデータベースのそれぞれは、システムを構成する機器（リソース）に関する属性情報であるＣＩ（Ｃｏｎｆｉｇｕｒａｔｉｏｎ  Ｉｔｅｍ）と情報間の関連（Ｒｅｌａｔｉｏｎｓｈｉｐ）を管理するものである。
【０００３】
また、図８に示すように、ＦＣＭＤＢはデータベース毎に異なる名前、異なるローカルＩＤで管理されている同一アイテムの情報に対して、全てのデータベースで共通に使えるユニークなＩＤ（以下、グローバルＩＤと記す）で管理することにより情報の調停を行うリコンシエーション機能を有するものである。
【０００４】
このリコンシエーション機能を実現するためには、各データベースが独自に保持および管理している情報の関連付けが必要である。この関連付けには、図９に示すようにグローバルＩＤを各リソースに予め付与し、グローバルＩＤ同士をマッチングさせることで、リソースを同定する。
【０００５】
また、本発明の関連ある従来技術として、複数のＤＢを統合した分散型ＤＢにおいて、全体でデータを一意に特定する識別情報を管理するデータベースシステムが開示されている（例えば特許文献１）。
【特許文献１】特開２０００−１２２９１０号公報
【発明の開示】
【発明が解決しようとする課題】
【０００６】
しかしながら、運用管理ソフトウェアは種々様々であり、必ずしもすべてのデータベースがグローバルＩＤを保持しているわけではない。図１０に示すように、例えばデータベースの１つであるＤＢ−ＡにはＩＤがｓｗｉｔｃｈ１であるものが、他のデータベースであるＤＢ−Ｂには該当するＩＤがなく、上述のマッピングを行うことができない。矛盾や重複なくデータベースを統合するためには、ＩＤが欠損しているリソースについても同定できるようにする必要がある。
【０００７】
本発明は上述した問題点を解決するためになされたものであり、グローバルＩＤを保持しないリソースに対しても、そのリソースの関連性を辿ることで同一リソースであるならばリソースを同定することができる情報処理装置、リソース同定プログラム、リソース同定方法を提供することを目的とする。
【課題を解決するための手段】
【０００８】
上述した課題を解決するため、本発明の一態様に係る情報処理装置は、未確定なリソースである未確定リソースと所定の関連を有するリソースである関連リソースを、複数の確定済みリソースのうちから取得する取得部と、前記取得部によって取得された関連リソースと前記所定の関連を有する前記関連リソースとは別のリソースを、複数の確定済みリソースのうちから同定対象リソースとして検索し、該同定対象リソースと前記未確定リソースとを同定する同定部と、を備えるものである。
【０００９】
また、上述した課題を解決するため、本発明の一態様に係るリソース同定プログラムは、未確定なリソースである未確定リソースと所定の関連を有するリソースである関連リソースを、複数の確定済みリソースのうちから取得する取得ステップと、前記取得ステップによって取得された関連リソースと前記所定の関連を有する前記関連リソースとは別のリソースを、複数の確定済みリソースのうちから同定対象リソースとして検索し、該同定対象リソースと前記未確定リソースとを同定する同定ステップと、をコンピュータに実行させるものである。
【００１０】
さらに、上述した課題を解決するため、本発明の一態様に係るリソース同定方法は、未確定なリソースである未確定リソースと所定の関連を有するリソースである関連リソースを、複数の確定済みリソースのうちから取得する取得ステップと、前記取得ステップによって取得された関連リソースと前記所定の関連を有する前記関連リソースとは別のリソースを、複数の確定済みリソースのうちから同定対象リソースとして検索し、該同定対象リソースと前記未確定リソースとを同定する同定ステップと、を実行するものである。
【発明の効果】
【００１１】
本発明の一態様に係る情報処理装置、リソース同定プログラム、リソース同定方法によって、未確定なリソースを既に登録済みのリソースであるとみなすことができる。
【発明を実施するための最良の形態】
【００１２】
以下、本発明の実施の形態について図面を参照しつつ説明する。まず、図１に、本実施の形態におけるＩＴシステム全体のネットワーク構成を示す。
【００１３】
本実施の形態では、ユーザの業務処理を遂行するための業務用ＩＴシステム３００と、業務用ＩＴシステム３００を構成するネットワーク機器やサーバを管理する管理系システム５０とが、管理用ネットワーク４００を介して接続されている。
【００１４】
管理系システム５０は、業務用ＩＴシステム３００のサーバに関する管理をしているサーバマネージャ２０１、ネットワーク機器の管理をしているネットワークマネージャ２００、およびＦＣＭＤＢシステム１００（情報処理装置）を備える。
【００１５】
サーバマネージャ２０１、ネットワークマネージャ２００は、それぞれ個別ＤＢ（ＤＢ：ＤａｔａＢａｓｅ）を備え、個別ＤＢに各ネットワーク機器やサーバ（以下、ネットワーク機器、サーバを総称するときは機器と記す）等、ネットワークに接続されたリソース（本実施の形態では機器に相等する）およびリソースを定義するための属性情報（例えばサーバ名、ＩＰアドレスや機器の製品名）（定義情報）を保持することで管理する。
【００１６】
次に本実施の形態におけるＦＣＭＤＢシステム１００を構成する機能を図２の機能ブロックを参照しつつ説明する。ＦＣＭＤＢシステム１００は、データ登録サービス機能部１、データ取得サービス機能部２、データマッピング情報管理部３、データ管理部４、リソース同定部５、ＩＤ欠損リソース同定部６、リソース同一性評価部７を備える。尚、これら各機能は、ＦＣＭＤＢシステム１００に備えられた図示しないＣＰＵ、メモリ、ハードディスク等のハードウェア資源とソフトウェアとが協働することで実現される。また、ＦＣＭＤＢシステム１００は、ハードディスク内にＦＣＭＤＢを有するものとする。
【００１７】
データ登録サービス機能部１は、ＭＤＲ（管理データ・リポジトリ：Management Data Repositories）からのデータ登録を受け付ける。データ取得サービス機能部２は、図示しないクライアントからのクエリを受け付けて、ＦＣＭＤＢの検索結果をクライアントに返す。データマッピング情報管理部３は、各ＭＤＲ独自のデータ形式とＦＣＭＤＢ共通データ形式の対応関係を管理する。
【００１８】
データ管理部４は、各ＭＤＲで保持されているデータの内容およびそれぞれの関係（関連情報）を管理する。またデータ管理部４は、ＩＤが欠損しているリソース（以下、ＩＤ欠損リソース）（未確定リソース）と所定の関連を有するリソース（関連リソース）を、個別ＤＢまたはＦＣＭＤＢ（これらのＤＢには、ＩＤが確定されている複数のリソース（以下、確定済みリソース）が保持されている）から取得する。さらにデータ管理部４は、同定されたＩＤ欠損リソースの属性情報と、ＩＤ欠損リソースとみなされたリソースの属性情報とをマージする。
【００１９】
リソース同定部５は、登録対象のリソースにＩＤが設定されているか否かに基づき、登録対象のリソースが既に登録されているリソースと同じものかを判断する。
【００２０】
ＩＤ欠損リソース同定部６は、ＩＤ欠損リソースについて、個別ＤＢまたはＦＣＭＤＢに保持されている確定済みリソースから同定の対象となるリソースを検索する。すなわちＩＤ欠損リソース同定部６は、データ管理部４によって取得されたリソース（関連リソース）と、データ管理部４にて関連リソースを取得する際に用いられた関連とに基づき、ＩＤ欠損リソースと同じであるとみなせるリソース（以下、同定対象リソース）をＦＣＭＤＢから検索し、ＩＤ欠損リソースと同定対象リソースとを同定する。
【００２１】
リソース同一性評価部７は、ＩＤ欠損リソース同定部６にて検索された同定対象リソースと、ＩＤ欠損リソースとの同一性の確度を評価する。
【００２２】
本実施の形態におけるＦＣＭＤＢシステム１００内のＦＣＭＤＢは、個別ＤＢで各々管理するリソースの属性情報とともに、各リソースがどのように関連しているかの関連情報を保持する。関連情報は、例えば物理ネットワーク接続情報として機器間の接続関係（所定の機器がいずれの機器とネットワーク接続されているかの関係）であったり、アプリケーションインストール情報として各サーバにどのアプリケーションがインストールされているかという関係であったりする。つまり、これら関連情報により、２つ以上のリソース間が結び付けられることになる。このＦＣＭＤＢシステム１００の同定方法の概要を、図３を参照しつつ更に説明する。
【００２３】
ＦＣＭＤＢシステム１００は、例えば上述の機器の接続関係やアプリケーションの搭載関係を示す関連情報に基づき、ＩＤ欠損リソースが他の確定済みリソースとどのような関係にあるかを明らかにする。その後、両比較対象の関係が合致している場合、両者は同じリソースであるとみなす。
【００２４】
例えばＦＣＭＤＢに、ＩＤがｓｅｒｖｅｒ１、ｓｗｉｔｃｈ１、ｓｅｒｖｅｒ２の各機器の情報が格納されているものとする。ここで、ネットワークマネージャ２００の個別ＤＢにＩＤが欠損したリソースが新規登録されたとする。
【００２５】
ＦＣＭＤＢには「ｓｗｉｔｃｈ１はｓｅｒｖｅｒ１とｓｅｒｖｅｒ２とがネットワーク接続されている」という関連情報があり、さらに「ＩＤ欠損リソースはｓｅｒｖｅｒ１とｓｅｒｖｅｒ２とに接続されている」との接続関係が成立している場合、ＦＣＭＤＢシステム１００は、新規登録されたリソース（ＩＤ欠損リソース）はｓｗｉｔｃｈ１であるとみなす（同定する）。
【００２６】
次に、ＦＣＭＤＢシステム１００の処理を図４のフローチャートを参照しつつ説明する。尚、図４は、各ステップを実行する機能ブロックを括弧書きとして示している。
【００２７】
データ登録サービス機能部１は、所定のＤＢ（例えばネットワークマネージャ２００に備えられた個別ＤＢ。以下、個別ＤＢ−Ａと記す）に保持されている所定のリソース（以降、リソースＡとする）の情報の登録を受け付ける（ステップＳ１）。
【００２８】
リソース同定部５は、リソースＡにＩＤが設定されているか否かを判定する（ステップＳ２）。ここで、ＩＤが設定されている場合（ステップＳ２、ＹＥＳ）、リソース同定部５は、ＦＣＭＤＢ内に同一ＩＤを持つリソースが既に登録されているかを検索する（ステップＳ３）。ここで、同一ＩＤのリソースがＦＣＭＤＢ内にあった場合（ステップＳ４、ＹＥＳ）、データ管理部４はリソースＡの属性情報とＩＤが一致したリソースの属性情報とをマージし（ステップＳ５）、処理は終了する。
【００２９】
一方、リソース同定部５による検索の結果、同一ＩＤのリソースがＦＣＭＤＢ内に無い場合（ステップＳ４、ＮＯ）、データ管理部４は、リソースＡを新規リソースとしてＦＣＭＤＢに登録する（ステップＳ６）。
【００３０】
ステップＳ２に戻り、リソースＡにＩＤが設定されていない場合（ステップＳ２、ＮＯ）、個別ＤＢ−Ａに保持されているリソースの中から、リソースＡと関連付けられていて、かつ個別ＤＢ−Ａ以外でも属性情報（の一部）が保持されているリソース（関連リソース）を取得する（ステップＳ７）。すなわちステップＳ７においては、リソースＡと所定の関連を有するリソースを、確定済みリソースを保持したＤＢから取得する。
【００３１】
その後、ＩＤ欠損リソース同定部６は、ステップＳ７で取得されたリソースと関連付けられているリソースの中で、リソースＡと同一の関連を持つリソースを検索する（ステップＳ８）。ここで、ステップＳ８で該当するリソースがあった場合（ステップＳ９、ＹＥＳ）、ＩＤ欠損リソース同定部６は、リソースＡと検索されたリソース（同定対象リソース）とを同定し、リソース同一性評価部７は、リソースＡと検索されたリソースについて、同一性の確度を評価する（ステップＳ１０）。
【００３２】
ここで、同一である確度が高い場合、データ管理部４は、両リソース（リソースＡと検索されたリソース）の属性情報をマージするとともに、評価情報をＦＣＭＤＢに書き込む（ステップＳ１１）。
【００３３】
また、ステップＳ８で検索した結果、該当するリソースが無かった場合（ステップＳ９、ＮＯ）、データ管理部４は、リソースＡを新規登録する（ステップＳ６）。
【００３４】
ここで、上述のステップＳ１０における同一性の確度の評価について、図５を参照しつつ説明する。
【００３５】
ＩＤ欠損リソース同定部６が、例えばＩＤがｓｗｉｔｃｈ１であるネットワーク機器と未確定なリソース（上述のリソースＡ）とが、ネットワークの構成上同じ機器であると同定した場合、次に、リソース同一性評価部７が、同定されたリソース同士の属性情報を比較する。比較方法は、例えば以下のようになる。
・ｓｗｉｔｃｈ１の属性情報と未確定リソースの属性情報とが合致している割合（合致率）を算出する。合致率は、例えばＦＣＭＤＢに格納されたｓｗｉｔｃｈ１の属性情報と個別ＤＢ（図５ではネットワークマネージャ２００の個別ＤＢ）に格納された未確定リソースの属性情報との両方に含まれている項目数を分母とし、そのうちから項目の値までも合致している項目数を分子とした割合として算出される。
・合致率が所定の閾値（例えば６０％）を越えた場合、同一リソースと評価し、データ管理部４によって両リソースの属性情報がマージされる。越えなかった場合は異なるリソースと評価し、属性情報はマージされない。
【００３６】
上述のリソース同一性評価部７による比較方法において、各機器の製品固有データ（例えば製品のシリアル番号や機器寸法、サイズ、重量）はその個別ＤＢ以外保持していない可能性が高い。よって、比較項目として加えるか否かのフラグを属性情報ごとに持たせるなどをすることで、製品固有データは比較項目として考慮しないようにすると、さらに合致率の算出精度が増す。
【００３７】
また図６に示すように、リソース同一性評価部７は閾値を設けず算出した合致率をユーザに通知し、データ管理部４に両リソースの属性情報をマージさせるか否かをユーザに委ねるようにしてもよい。
【００３８】
上述の実施の形態では、リソースをネットワークに接続された機器とし、また主として各機器のネットワークの接続関係を所定の関連として説明したが、リソースをサーバとし、所定の関連を、サーバとサーバに導入されたアプリケーションとの関係としても適用可能である。
【００３９】
また、本実施の形態は、リソースをサーバやネットワーク機器としたが、リソースの対象を限定するものではない。例えば建築物を建設するための部材の情報をリソースとし、その部材の接合関係（当該部材はいずれの部材と接合するか等）を所定の関連とすることも考えられる。このように本実施の形態は、リソースと、そのリソースとの関連を定義できるものであれば如何なる態様も適用可能である。
【００４０】
本実施の形態におけるＦＣＭＤＢシステム１００によって、既に確定済みのリソースの関連情報を辿って、確定済みリソースと同じ関係にある未確定のリソースを、その確定済みリソースとみなすことで、ＩＤを欠損しているリソースであっても対応付けることが可能となる。
【００４１】
また、従来はＩＤが欠損しているリソースを自動的に同定することができなかったが、本実施の形態におけるＦＣＭＤＢシステム１００はそれを可能にする。また、これまでは手動での対応付けが余儀なくされていたところをＦＣＭＤＢシステム１００によって自動化できるようになるので、大規模データベースに対してもより効率的に統合することができる。
【００４２】
尚、取得部は、本実施の形態におけるデータ管理部４に対応し、同定部は本実施の形態におけるＩＤ欠損リソース同定部６に対応する。また算出部は、本実施の形態におけるリソース同一性評価部７に対応する。さらに、第１マージ部、第２マージ部は、本実施の形態におけるデータ管理部４およびリソース同一性評価部７のそれぞれ対応した機能によって構成される。
【００４３】
更に、情報処理装置を構成するコンピュータにおいて上述した各ステップを実行させるプログラムを、リソース同定プログラムとして提供することができる。上述したプログラムは、コンピュータにより読取り可能な記録媒体に記憶させることによって、情報処理装置を構成するコンピュータに実行させることが可能となる。ここで、上記コンピュータにより読取り可能な記録媒体としては、ＲＯＭやＲＡＭ等のコンピュータに内部実装される内部記憶装置、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
【００４４】
（付記１）  未確定なリソースである未確定リソースと所定の関連を有するリソースである関連リソースを、複数の確定済みリソースのうちから取得する取得部と、
前記取得部によって取得された関連リソースと前記所定の関連を有する前記関連リソースとは別のリソースを、複数の確定済みリソースのうちから同定対象リソースとして検索し、該同定対象リソースと前記未確定リソースとを同定する同定部と、
を備える情報処理装置。
（付記２）  付記１に記載の情報処理装置において、
前記リソースは、ネットワークに接続された機器であり、前記所定の関連は前記機器がいずれの機器とネットワーク接続されているかの関係であることを特徴とする情報処理装置。
（付記３）  付記１または付記２に記載の情報処理装置において、
更に、前記同定対象リソースを定義する少なくとも一つの定義情報と、前記未確定リソースを定義する少なくとも一つの定義情報とが合致している割合を示す合致率を算出する算出部を備えることを特徴とする情報処理装置。
（付記４）  付記３に記載の情報処理装置において、
更に、前記算出部にて算出された合致率が所定の閾値を越えた場合、前記同定対象リソースの定義情報と前記未確定リソースの定義情報とをマージする第１マージ部を備えることを特徴とする情報処理装置。
（付記５）  付記３に記載の情報処理装置において、
更に、前記算出部にて算出された合致率を表示するとともに、前記同定対象リソースの定義情報と前記未確定リソースの定義情報とをマージするか否かを選択させ、選択結果が許可である場合、前記同定対象リソースの定義情報と前記未確定リソースの定義情報とをマージする第２マージ部を備えることを特徴とする情報処理装置。
（付記６）  付記１に記載の情報処理装置において、
前記リソースはサーバであり、前記所定の関連は前記サーバと該サーバに導入されたアプリケーションとの関係であることを特徴とする情報処理装置。
（付記７）  未確定なリソースである未確定リソースと所定の関連を有するリソースである関連リソースを、複数の確定済みリソースのうちから取得する取得ステップと、
前記取得ステップによって取得された関連リソースと前記所定の関連を有する前記関連リソースとは別のリソースを、複数の確定済みリソースのうちから同定対象リソースとして検索し、該同定対象リソースと前記未確定リソースとを同定する同定ステップと、
をコンピュータに実行させるリソース同定プログラム。
（付記８）  付記７に記載のリソース同定プログラムにおいて、
前記リソースは、ネットワークに接続された機器であり、前記所定の関連は前記機器がいずれの機器とネットワーク接続されているかの関係であることを特徴とするリソース同定プログラム。
（付記９）  付記７または付記８に記載のリソース同定プログラムにおいて、
更に、前記同定対象リソースを定義する少なくとも一つの定義情報と、前記未確定リソースを定義する少なくとも一つの定義情報とが合致している割合を示す合致率を算出する算出ステップをコンピュータに実行させることを特徴とするリソース同定プログラム。
（付記１０）  付記９に記載のリソース同定プログラムにおいて、
更に、前記算出ステップにて算出された合致率が所定の閾値を越えた場合、前記同定対象リソースの定義情報と前記未確定リソースの定義情報とをマージする第１マージステップをコンピュータに実行させることを特徴とするリソース同定プログラム。
（付記１１）  付記９に記載のリソース同定プログラムにおいて、
更に、前記算出ステップにて算出された合致率を表示するとともに、前記同定対象リソースの定義情報と前記未確定リソースの定義情報とをマージするか否かを選択させ、選択結果が許可である場合、前記同定対象リソースの定義情報と前記未確定リソースの定義情報とをマージする第２マージステップをコンピュータに実行させることを特徴とするリソース同定プログラム。
（付記１２）  付記７に記載のリソース同定プログラムにおいて、
前記リソースはサーバであり、前記所定の関連は前記サーバと該サーバに導入されたアプリケーションとの関係であることを特徴とするリソース同定プログラム。
（付記１３）  未確定なリソースである未確定リソースと所定の関連を有するリソースである関連リソースを、複数の確定済みリソースのうちから取得する取得ステップと、
前記取得ステップによって取得された関連リソースと前記所定の関連を有する前記関連リソースとは別のリソースを、複数の確定済みリソースのうちから同定対象リソースとして検索し、該同定対象リソースと前記未確定リソースとを同定する同定ステップと、
を実行するリソース同定方法。
（付記１４）  付記１３に記載のリソース同定方法において、
前記リソースは、ネットワークに接続された機器であり、前記所定の関連は前記機器がいずれの機器とネットワーク接続されているかの関係であることを特徴とするリソース同定方法。
（付記１５）  付記１３または付記１４に記載のリソース同定方法において、
更に、前記同定対象リソースを定義する少なくとも一つの定義情報と、前記未確定リソースを定義する少なくとも一つの定義情報とが合致している割合を示す合致率を算出する算出ステップを実行することを特徴とするリソース同定方法。
（付記１６）  付記１５に記載のリソース同定方法において、
更に、前記算出ステップにて算出された合致率が所定の閾値を越えた場合、前記同定対象リソースの定義情報と前記未確定リソースの定義情報とをマージする第１マージステップを実行することを特徴とするリソース同定方法。
（付記１７）  付記１５に記載のリソース同定方法において、
更に、前記算出ステップにて算出された合致率を表示するとともに、前記同定対象リソースの定義情報と前記未確定リソースの定義情報とをマージするか否かを選択させ、選択結果が許可である場合、前記同定対象リソースの定義情報と前記未確定リソースの定義情報とをマージする第２マージステップを実行することを特徴とするリソース同定方法。
（付記１８）  付記１３に記載のリソース同定方法において、
前記リソースはサーバであり、前記所定の関連は前記サーバと該サーバに導入されたアプリケーションとの関係であることを特徴とするリソース同定方法。
【図面の簡単な説明】
【００４５】
【図１】実施の形態に係るＩＴシステムの構成の一例を示す図である。
【図２】実施の形態に係るＦＣＭＤＢシステムの構成の一例を示す図である。
【図３】実施の形態に係るＦＣＭＤＢシステムの同定機能の概要の一例を示す図である。
【図４】実施の形態に係るＦＣＭＤＢシステムの処理の一例を示すフローチャートである。
【図５】実施の形態に係るＦＣＭＤＢシステムの同一性の評価方法の一例を示す図である。
【図６】実施の形態に係るＦＣＭＤＢシステムの同一性の評価結果（合致率）の通知例を示す図である。
【図７】ＦＣＭＤＢに関する従来の機能概要を説明する図である。
【図８】ＦＣＭＤＢに関する従来のリコンシエーション機能を説明する図である。
【図９】ＦＣＭＤＢに関する従来のリソースの同定機能を説明する図である。
【図１０】ＦＣＭＤＢに関する従来のリソース同定機能の問題点を示す図である。
【符号の説明】
【００４６】
１  データ登録サービス機能部、２  データ取得サービス機能部、３  データマッピング情報管理部、４  データ管理部、５  リソース同定部、６  ＩＤ欠損リソース同定部、７  リソース同一性評価部、５０  管理系システム、１００  ＦＣＭＤＢシステム、２００  ネットワークマネージャ、２０１  サーバマネージャ、３００  業務用ＩＴシステム、４００  管理用ネットワーク。
【図１】
0005146020.tif 000002
【図２】
0005146020.tif 000003
【図３】
0005146020.tif 000004
【図４】
0005146020.tif 000005
【図５】
0005146020.tif 000006
【図６】
0005146020.tif 000007
【図７】
0005146020.tif 000008
【図８】
0005146020.tif 000009
【図９】
0005146020.tif 000010
【図１０】
0005146020.tif 000011